(57)【特許請求の範囲】
【請求項１】
配線パターンが設けられている取り付け板と、接点部を有し前記配線パターンに導通してある固定接片と、接点部を有し前記配線パターンに導通してある可動接片と、前記両接点部を接触させるためにシャッタ羽根の作動に伴って作動される接点駆動部とを有するシャッタ用スイッチの製造方法において、
前記接点駆動部は、露光時の前記シャッタ羽根の作動に伴って前記可動接片の接点部を前記固定接片の接点部に接触させるものであり、
前記固定接片には、前記取り付け板に係合可能な位置決め用の立ち曲げ部が設けてあり、
前記固定接片は、前記立ち曲げ部が前記取り付け板に係合する状態で固定部材により前記取り付け板に揺動可能に取り付けられ、この取り付け状態で揺動されて前記両接点部の接触位置を調整し、調整後に前記立ち曲げ部を前記配線パターンに導通させた状態で取り付け板に固定されることを特徴とするシャッタ用スイッチの製造方法。
【請求項２】
請求項１において、前記固定部材は導電性部材で形成してあり、前記両接点部の接触位置の調整時に前記固定接片に導通されることを特徴とするシャッタ用スイッチの製造方法。
【請求項３】
請求項１または２において、前記立ち曲げ部は、前記固定接片に複数設けられており、前記立ち曲げ部の少なくとも１つを前記配線パターンに導通させることを特徴とするシャッタ用スイッチの製造方法。
【発明の詳細な説明】
【０００１】
【発明の属する技術分野】
本発明はシャッタ用シャッタのスイッチの製造方法に関する。
【０００２】
【従来の技術】
従来において、開放羽根と閉鎖羽根により露出制御するシャッタがある。レリーズスイッチが押されて露出の際には、シャッタ駆動機構中の開放レバーの揺動に連動して、まず、開放羽根がシャッタ開口から退避して開口を開け、次に閉鎖レバーの揺動に連動して閉鎖羽根がシャッタ開口を覆って露出を終了させる。この開放レバーによる開放動作を、シャッタ用スイッチにより検知して、フラッシュをたくタイミングや、これに続いて閉鎖レバーを駆動して閉鎖羽根によりシャッタ開口を閉鎖するタイミングを検出する基準とする。
【０００３】
このシャッタ用スイッチは、図６及び図７に示しているように、固定接片１３と可動接片１４とからなる。固定接片１３及び可動接片１４の接点部１３ａ，１４ａは、固定部１３ｂ，１４ｂから延伸させて弾性変形可能に形成してある。固定部１３ｂ，１４ｂは固定ピン１５，１６で回路基板１２に固定してあり、立ち曲げ部１３ｃ，１４ｃを回路基板１２の所定の配線パターンにはんだ付けして導通部１９，１８としてある。
【０００４】
可動接片１４の接点部１４ａを固定接片１３の接点部１３ａに弾接させるために、開放羽根を駆動する開放レバー１７に接点駆動ピン１７ａを設ける。図７に示すように開放レバー１７を揺動させて駆動部２０を介して開放羽根をシャッタ開口から退避させた際には、この接点駆動ピン１７ａによって可動接片１４の接点部１４ａを撓ませて固定接片１３の接点部１３ａに弾接させ、スイッチをオン状態にする。
【０００５】
スイッチのオン位置を微調整可能な構成として、回路基板１２には偏心ピン１１ａを突設させた調整部材１１が回路基板１２にかしめて設けられている。そして、固定接片１３と可動接片１４は固定ピン１５，１６と導通部１９，１８とで回路基板１２に固定して設けられている。位置調整に際して、まず、接点調整用機器から回路基板１２の適切な配線パターンに通電して導通部１８，１９を介して固定接片１３、可動接片１４を通電状態にしておく。そして、マイナスドライバのような治具を使い調整部材１１を回転させて偏心ピン１１ａの位置を移動させて、接点部１３ａを押して接点部１３ａを揺動する。接点部１３ａと１４ａとの弾接位置を所望の位置に微調整できたら、治具及び接点調整用機器を外す。調整部材１１は回路基板１２にある程度きつくかしめられているので、治具を外してもその位置で固定される。
【０００６】
【発明が解決しようとする課題】
従来の構成では、調整時に、固定接片及び可動接片には導通する必要があるので導通部１８，１９をはんだ付けして固定部１３ｂ、１４ｂを回路基板１２に固定する必要があった。このため、固定接片１３の位置を微調整するための構成として、偏心ピン１１ａを突設させた調整部材１１を用いている。つまり、シャッタの駆動には直接には関係しない調整部材１１を設ける必要があった。この調整部材１１は、高価であり、取り付けの構造も複雑になり、調整部材用のスペースも必要であるという問題点がある。
そこで本発明は、偏心ピンを突設させた調整部材を用いないで、簡単な構成により固定接片と可動接片との両接点部の接触位置の調整を可能にし、コストの低減を達成する。
【０００７】
【課題を解決するための手段】
本発明のシャッタ用スイッチの製造方法は、配線パターンが設けられている取り付け板と、接点部を有し配線パターンに導通してある固定接片と、接点部を有し配線パターンに導通してある可動接片と、両接点部を接触させるためにシャッタ羽根の作動に伴って作動される接点駆動部とが備わっており、接点駆動部は、露光時のシャッタ羽根の作動に伴って可動接片の接点部を固定接片の接点部に接触させるものであり、固定接片には、取り付け板に係合可能な位置決め用の立ち曲げ部が設けてあり、固定接片は、立ち曲げ部が取り付け板に係合する状態で固定部材により取り付け板に揺動可能に取り付けられ、この取り付け状態で揺動されて両接点部の接触位置を調整し、調整後に立ち曲げ部を配線パターンに導通させた状態で取り付け板に固定されることを特徴としている。この構成により接点部の接触位置の調整を低コストで達成できる。固定部材は導電性部材で形成してあり、両接点部の接触位置の調整時に固定接片に導通されることが好ましい。立ち曲げ部は、固定接片に複数設けられており、立ち曲げ部の少なくとも１つを配線パターンに導通させることが好ましい。
【０００８】
【発明の実施の形態】
本発明の実施の一形態について、図面を参照して説明する。
図１に示すように、シャッタ開口１ａを有する基板１には、所定の間隔をおいて取り付け板である回路基板２が対向し、この回路基板２の上面に配線パターン２ａ（図４，５図示）を形成してある。シャッタ用スイッチはこの回路基板２に設けてあり、固定接片３と可動接片４とからなる。
【０００９】
図４に示すように、固定接片３はＬ字状に屈曲させてあり、下方に延伸する部分を接点部３ａとし、回路基板２に対接する部分を固定部３ｂとしている。可動接片４も同様にＬ字状に屈曲させてあり、下方に延伸する部分を接点部４ａとし、回路基板２に対接する部分を固定部４ｂとしている。固定接片３及び可動接片４は、図１に示すように固定部材５，６により回路基板２にそれぞれ固定され、接点部３ａと接点部４ａとを所定の間隔をおいて対向位置させている。固定接片３には相互に離れた位置に立ち曲げ部３ｃ，３ｄが設けてあり、位置決めと同時にいずれか一方を導通部にしてある。可動接片４にも相互に離れた位置に立ち曲げ部４ｃ，４ｄが設けてあり、位置決めと同時にいずれか一方を導通部にしてある。即ち、立ち曲げ部４ｃ，４ｄはいずれも回路基板２を貫通しており、いずれか一方の立ち曲げ部、例えば立ち曲げ部４ｃが配線パターン２ａの所定の端子部にはんだ付けされて導通部８（図４図示）となっている。
【００１０】
図１に示すように、可動接片４の接点部４ａを固定接片３の接点部３ａに接触させるために、例えば開放レバー７ａの作動に伴って作動される接点駆動部７が備わっている。接点駆動部７は、開放羽根を開閉駆動する開放レバー７ａに立設してある。開放レバー７ａを揺動させて開閉レバー７ａ図示しない羽根駆動部を介して開放羽根をシャッタ開口１ａから退避させた露光時には、図３に示すようにこの接点駆動部７によって可動接片４の接点部４ａを前進させ、固定接片３の接点部３ａに接触させ、スイッチをオン状態にする。
【００１１】
スイッチのオン位置、即ち両接点部３ａと４ａとの接触位置を調整する構成について説明する。図２に示すように、固定接片３は、最初、導電性部材で形成してある固定部材５により回路基板２に揺動可能にかしめられている。１点でかしめられている部材は、ある程度以上の力を加えるとかしめ部分を中心に回転可能となるので、この段階では固定接片３は揺動可能である。回路基板２には、位置決め用の凹部２ｃ，２ｄが形成してあり、固定接片３の立ち曲げ部３ｃ，３ｄを、この凹部２ｃ，２ｄに接してはいないが係合状態で位置させてある。
【００１２】
固定接片３の位置調整は、可動接片４が固定部材６により回路基板２に設けられ、立ち曲げ部４ｃ，４ｄがはんだ付けされて回路基板２に固定され、固定接片３が固定部材５により回路基板２に揺動可能に設けられている状態で行う。位置調整のために図示しない調整用機器を用いて固定接片３及び可動接片４に導通する必要があるが、可動接片４はすでに回路基板２にはんだ付けにより導通可能に固定されているため、回路基板２の適切な配線パターンから可動接片４に電流を流すことができる。また、固定接片３は調整段階ではまだ、回路基板２の配線パターンとは導通していないが、固定部材５が導電性部材であるためこの固定部材５に通電することにより固定接片３と可動接片４とを導通可能にしている。
このため、固定接片３の位置調整時には、調整用機器を可動接片４に導通可能な適切な配線パターンと固定部材５とに導通させている。
【００１３】
開放レバー７ａを揺動させて接点駆動部７により可動接片４の接点部４ａを前進させ、固定接片３の接点部３ａに接触させる。図３に示すように通電状態で固定接片３を固定部材５中心に揺動させ、接点部４ａと接点部３ａの接触状態が最適の位置を見つける。この位置で固定接片３の立ち曲げ部３ｃ，３ｄをはんだ付けして回路基板２に固定すると共に、立ち曲げ部のいずれか一方、例えば立ち曲げ部３ｃは、配線パターン２ａの所定の端子部にはんだで導通されており、これが固定接片３の導通部９となる。
【００１４】
このように固定接片３を位置調整して固定すると、図３のように開放レバー７ａを揺動させて駆動ピン７により可動接片４を前進させ、固定接片３の接点部３ａに接触させた際には、図５のように接点部３ａ，４ａが最適の状態で接触するので、配線パターン２ａから、導通部８、可動接片４、固定接片３、導通部９を経て配線パターン２ａに至る回路を、接点部３ａ，４ａからなるシャッタ用スイッチで閉じるタイミングを常に均一にできる。したがってフラッシュをたくタイミングやシャッタ開口を閉じるタイミング等の撮影動作のタイミングが正確に行える。
【００１５】
本実施の形態では、固定接片３の立ち曲げ部３ｃ，３ｄのいずれか一方を配線パターンと導通させたが、これに限るものではなく、立ち曲げ部３ｃ、３ｄ共に配線パターンに導通させるようにしてもよい。このようにすると、固定接片３自身を回路パターンの１部として利用することができ、配線パターンの引き方に自由度が増す。また、配線パターンも固定接片分ひかなくてすむのでその分スペースを縮小でき回路基板２の小型化に寄与することができる。
【００１６】
【発明の効果】
本発明のシャッタ用スイッチの製造方法により製造されたシャッタ用スイッチは、固定接片と可動接片との両接点部の接触位置の調整を簡単な構成により可能にでき、撮影動作のタイミングを常に均一にできる。また、偏心ピンを突設した調整部材を用いないのでコストを低減でき、小型化も可能となる。
【図面の簡単な説明】
【図１】本発明の実施の一形態であるシャッタ用スイッチを備えたシャッタ駆動機構の平面図である。
【図２】同、シャッタ用スイッチがオフ状態の拡大平面図である。
【図３】同、シャッタ用スイッチがオン状態の拡大平面図である。
【図４】同、シャッタ用スイッチがオフ状態の拡大正面図である。
【図５】同、シャッタ用スイッチがオン状態の拡大正面図である。
【図６】従来のシャッタ用スイッチがオフ状態の拡大平面図である。
【図７】従来のシャッタ用スイッチがオン状態の拡大平面図である。
【符号の説明】
２          取り付け板（回路基板）
２ａ        配線パターン
３          固定接片
３ａ        接点部
３ｃ，３ｄ  立ち曲げ部
４          可動接片
４ａ        接点部
５          固定部材
７          接点駆動部
【図１】
0004439130.tif 000002
【図２】
0004439130.tif 000003
【図３】
0004439130.tif 000004
【図４】
0004439130.tif 000005
【図５】
0004439130.tif 000006
【図６】
0004439130.tif 000007
【図７】
0004439130.tif 000008